(57)【要約】外面にエンボスデフレクターストリップを膨出させたエンボス領域を有する円筒ドライヤースクリーンは、遠心式ペレットドライヤーを設けられている。エンボスデフレクターストリップは、一体化され、ロータ及びロータブレードのためのスクリーンハウジング内の空間に侵入しないように外方に突出する。外方突出デフレクターストリップを備えたエンボススクリーンは、ロータに向かって効率的にペレットを偏向し、ペレットにロータのエネルギーを再付与し、乾燥効率と流速を増大させる。
2016524118.tif 000002
【特許請求の範囲】
【請求項１】
スクリーンの外面から外方に突出する、１以上の一体化したエンボス領域を有する略円筒スクリーンを備え、
前記各エンボス領域は、粒子の環状流れを分裂させる偏向領域を形成し、ドライヤーのロータ領域を介して粒子流れを改善するように乾燥される遠心式ペレットドライヤーのためのスクリーン。
【請求項２】
前記各エンボス領域は、略垂直方向のエンボスデフレクターストリップを形成する請求項１に記載のスクリーン。
【請求項３】
スクリーンの周囲に間隔を空けて配置された略垂直方向のエンボスデフレクターストリップを形成した複数のエンボス領域を備える請求項１に記載のスクリーン。
【請求項４】
前記ストリップは、隣接するスクリーンの底縁から隣接するスクリーンの上縁に亘って千鳥状に配置されている請求項３に記載のスクリーン。
【請求項５】
穿孔領域及び非穿孔領域を備え、前記エンボス領域は前記非穿孔領域に一体的に形成されている請求項１に記載のスクリーン。
【請求項６】
前記各エンボス領域は、滑らかで連続する平坦なＵ形状を有するエンボスデフレクターストリップを形成する請求項１に記載のスクリーン。
【請求項７】
前記エンボスデフレクターは、前記外面の非エンボス部に対して、約０．１０インチから約０．２５インチ外方に突出する請求項２に記載のスクリーン。
【請求項８】
前記外方突出エンボスデフレクターストリップは、約０．２５インチから０．８０インチの幅を有する請求項７に記載のスクリーン。
【請求項９】
前記エンボスデフレクターストリップは、前記外面の非エンボス部に対して、約０．１４インチ外方に突出し、約０．６２インチの幅を有する請求項２に記載のスクリーン。
【請求項１０】
前記外方突出エンボス領域は、ほぼスクリーンの上部から下部に延びる請求項１に記載のスクリーン。
【請求項１１】
垂直方向に搭載され、ブレードロータをほぼ同心上に備えた円筒スクリーンを有するドライヤーハウジングと、
スクリーンの底部に水及び固体粒子のスラリーを受け取るための入口と、
を備え、
前記固体粒子は、ロータによってスクリーンを介して環状流れを、スクリーンの上端の出口に向かって上方に移動し、
前記スクリーンは、粒子がドライヤーを介して粒子流れを利用して乾燥される環状流れを分裂させる内方偏向面を形成するために、スクリーンの外面から外方に突出する少なくとも１つのエンボス領域を有する遠心式ペレットドライヤー。
【請求項１２】
前記各外方突出エンボス領域は、略垂直なエンボスデフレクターストリップを形成する請求項１１に記載のドライヤー。
【請求項１３】
前記スクリーンは、周囲で互いに離れた配置された、略垂直なエンボスデフレクターストリップとして形成される複数の外方突出エンボス領域を備える請求項１１に記載のドライヤー。
【請求項１４】
前記外方突出デフレクターストリップは、隣接するスクリーンの底縁から、隣接する上縁まで千鳥状に配置されている請求項１３に記載のドライヤー。
【請求項１５】
前記スクリーンは、穿孔領域及び非穿孔領域を備え、前記各外方突出デフレクターストリップは、非穿孔領域に一体的に形成されている請求項１２に記載のドライヤー。
【請求項１６】
前記スクリーンは、穿孔領域及び非穿孔領域を備え、前記外方突出デフレクターストリップは、穿孔領域の少なくとも一部に形成されている請求項１２に記載のドライヤー。
【請求項１７】
前記各外方突出エンボス領域は、平坦な底面と、滑らかで連続した傾斜面とを備えた断面を有する請求項１１に記載のドライヤー。
【請求項１８】
前記外方突出エンボスデフレクターストリップは、約０．２５インチから約０．８０インチの幅を有し、前記外面の非エンボス部に対して約０．１０インチから約０．２５インチ外方に突出する請求項１３に記載のドライヤー。
【請求項１９】
前記外方突出エンボスデフレクターストリップは、約０．６２インチの幅を有し、前記外面の非エンボス部に対して約０．１４インチ外方に突出する請求項１１に記載のドライヤー。
【発明の詳細な説明】
【技術分野】
【０００１】
本発明は、円筒スクリーン内の水分量の多い樹脂ペレット又は他の固体粒子を上方に搬送するブレードリフトロータを利用する遠心式ペレットドライヤーに関する。リフトローラの回転によって粒子に伝わる遠心力により、粒子はスクリーンの内面に押し付けられ、粒子表面の水分は本技術分野で公知の手法によってスクリーンを介して除去される。特に、本発明は、円筒スクリーンの内面に対する製品の流れを改良するデフレクターに関する。
【背景技術】
【０００２】
遠心式ペレットドライヤーは、水中のペレタイザによって生成されるスラリーや樹脂製ペレタイザのような樹脂製ペレットや他の固体粒子から水又は湿気を分離するための技術分野で公知である。従来の遠心式ペレットドライヤーは、垂直方向に配置された外部ハウジング、このハウジングに方向付けられた円筒スクリーン、及び、このスクリーン内の中央部に配置された駆動ブレードロータを備える。ロータは、そこから放射状の空気流れによって付与される遠心力で、スクリーン内の水分量の多い樹脂ペレット又は他の固体粒子を上方に移動させ（図１参照）、その粒子からスクリーンを介して水を排出するためにスクリーンに作用して外径方向に移動させる。乾燥した粒子はスクリーン及びハウジングの上端から排出され、水はハウジングの下端から排出される。
【０００３】
このタイプの遠心式ペレットドライヤーは、本願譲受人が所有する米国特許第7,171,762号明細書、第7,024,794号明細書,第6,807,748号明細書及び第6,237,244号明細書に開示されている。そのようなドライヤーの使用中、ペレット又は他の粒子は、スクリーン内を上方に移動するとき、さらに垂直力及び遠心力が作用し、ロータに向かい、実速で円筒スクリーンと衝突し、通常跳ね返る。これは、図２に図示される「良好な」流動特性として現される。さらに図３に示すように、ロータからの放射状の空気流れがペレットを押すのではなく、実質的に周囲を流動させるとき、製品及び空気の双方の「最良の」流れが起こる。
【先行技術文献】
【特許文献】
【０００４】
【特許文献１】米国特許第7,171,762号明細書
【特許文献２】米国特許第7,024,794号明細書
【特許文献３】米国特許第6,807,748号明細書
【特許文献４】米国特許第6,237,244号明細書
【発明の概要】
【発明が解決しようとする課題】
【０００５】
しかしながら、今日のマーケットで使用される従来の遠心式ドライヤーは全て、ロータの通常回転によって発生する空気流れに関する共通の問題を有する。ロータのブレード形状と他の物理的要因の組み合わせにより、ロータとスクリーンの間で跳ね返るとき、ドライヤーを介して製品の流れに大きく影響し得る空気流れを生成する。
【０００６】
また、より柔らかいペレット、あるいは、平坦又は両凸レンズ形を備えたペレットを形成する新たな樹脂材料の出現と、水中のペレタイザを使用する非常に小さなペレットあるいはいわゆるマイクロペレットの製造とで、公知の遠心式ドライヤーでそのようなペレットを搬送して、ほぼ乾燥させるのは困難である。さらに、公知の遠心式ドライヤーでは、再利用したソーダボトル、ミルク容器等から形成される破砕樹脂材料を搬送して、ほぼ乾燥させるのは、破砕したバッテリーケース等の他の樹脂粒子と同様に困難である。
【０００７】
特に、図２の「劣悪な」流れの特性として図示されるように、より柔らかくて小さなペレット、平坦又は両凸レンズ状のペレット、及び同様な粒子は、ロータブレードの外縁とスクリーンの内面との間で、隙間帯「Ｘ」（図２参照）に集まって循環しやすい。より硬くて大きなペレット又は粒子として周囲に跳ね返るというよりもむしろ、これらの粒子はスクリーン上に水分で生成された空気流れ又は表面張力によってスクリーンに捕捉されるようになる。この望ましくない、スクリーンの内面に沿った、より柔らかくて小さなペレット、平坦又は両凸レンズ形のペレット、及び樹脂片及び粒子の環状流れ及び捕捉は、「バンディング」と言及されている。このバンディングにより、ドライヤーのロータ領域を通過する製品流れが抑制され、ロータの回転速度を維持するために必要な電力が増大する。さらに、バンディングは、固体粒子からの水分の分離効率を抑制し、ドライヤーに必要な高アンペア数を引き起こし、遠心式ドライヤーでの全効率を抑制することが分かっている。これらの問題は、細くて繊維状の「毛」の生成物（製造業ではエンジェルヘアとして言及される）に帰結する。
【０００８】
特にバンディングの問題は、この形状の相対的に大きな平面領域により、ペレットがスクリーンの内面に付着し、そのようなペレットの薄さのために、それらを除去するのが困難になる。図３中、「最悪の」流れとして図示するように、１方向に於ける製品の表面領域が増大するか、あるいは、ペレットがよりフレーク状又は両凸レンズ状となるに従って、スクリーンに製品を捕捉するためにロータの外方への空気流れの機会が増える。この現象により、製品をドライヤーローターの内外への動作で製品を再係合するために必要とされる跳ね返りが大幅に抑制される。
【０００９】
このバンディングの問題を解決するための方法は、米国特許第6,739,457号明細書（`457特許）に記載されており、それは本発明の譲渡人によって所有されている。ここでは`457特許の開示は、参照することにより全体が記載されているかのように本明細書に組み込まれる。
【００１０】
`457特許では、デフレクターストリップが、機械加工された円錐孔に嵌合される多数の締め具を使用してドライヤースクリーンの内部に固定される。この固定方法により、デフレクターストリップは相対的に製造費用が高くなり、スクリーンには望ましくない応力集中を引き起こし得る専用の孔を形成することも必要となる。また、締め具が緩められれば、振動、経年劣化、あるいは、その他のことにより、デフレクターストリップが、移動中のロータ内に延びて結果的に損傷する恐れがある。さらに、デフレクターストリップとスクリーンの間のいずれの空間であっても、ペレットの一部あるいは他の異物、特に平坦又は両凸レンズ形を有するペレットが集められ、その結果、将来の製品が移動する際、汚染する可能性がある。
【００１１】
米国特許第8,220,177号明細書（`177特許）は、本発明の譲受人に所有されており、スクリーンに固定されるデフレクターストリップに関する問題を解決した。`177特許では、円筒スクリーンの内部には１以上のエンボス加工された領域が設けられ、図４に示すように、一体化したデフレクターをスクリーンの内面から突出させるように効率的に形成されている。`457特許の固定されたデフレクターストリップのように、`177特許に開示されたエンボス加工されたスクリーンは、ロータによる粒子の垂直方向の持ち上げを補助し、粒子のバンディングを排除することにより、ドライヤーのロータ領域を介して粒子流れを改善するために、粒子の環状流れを粉砕する。しかしながら、`457特許とは異なり、`177特許のエンボス加工されたデフレクタースクリーンは汚染と、緩んだデフレクターストリップが移動中のロータ内に延びるリスクを排除する一方、製造コストを低減もする。さらに、エンボス加工された領域はスクリーンの非穿孔領域に一体化されるのが好ましいため、実際にエンボス加工された領域はスクリーン構造の全体を強固にすることができる。
【００１２】
ボルト締めされ、一体化されたデフレクターストリップのいずれもが、両タイプのストリップが内側に突出するという問題を起こし、ドライヤーのロータに食い込む。言い換えれば、内方に突出するストリップが、ロータブレードの外縁とスクリーンの内面との間の必要なスペース、すなわちクリアランスを小さくする。さらに、ロータが、完璧に同心上に組み立てられたスクリーンと中心支持リングの内部で駆動し、その結果、ロータの周囲に均一な間隔が形成されるということがよく信じられているが、多くの場合、このような完全な設計は実際には達成不可能である。
【００１３】
この結果、潜在的な干渉レベルに対して選択された領域でさえ、クリアランスが小さくなるという望ましくないドライヤーの構成があるので、装置が損傷や故障に至る恐れがある。また、遠心式ドライヤーは静的な装置ではなく、例えば、装置の単なる動作が、ある構成要素に周期的に負荷を与えるため、工学的見地から全く予知できない動きを引き起こす。
【００１４】
このため、遠心式ペレットドライヤースクリーンでは、ドライヤースクリーンとロータの間のクリアランスを小さくすることなく、バンディングを阻止することが必要とされている。
【課題を解決するための手段】
【００１５】
本発明では、水及びポリマー樹脂のスラリーをドライヤーの上方に搬送するための円筒スクリーン内に方向付けされた垂直ハウジング及びブレードロータに関係して縦型円筒スクリーンを有する縦型タイプの遠心式ペレットドライヤーが使用されている。ロータによって固体粒子に付与される遠心力により、この粒子はスクリーンに密着されてスクリーンから外側に水を排出されるが、乾燥した粒子はドライヤーの上端から排出され、水は公知の手法でハウジングの下端から排出される。一般に、遠心式ペレットドライヤーのための円筒スクリーンは、垂直方向に配置されて互いに連結された複数のスクリーン領域で形成されている。
【００１６】
柔軟で小さなペレット又は樹脂片と、両凸レンズ形状のペレット等の幾何学的に搬送するのが困難な他の樹脂粒子から水を分離するときのそのような遠心式ドライヤーでの問題や、`457及び`177特許の内側に突出したデフレクターストリップに関する潜在的な問題を解決するため、円筒スクリーンの内部には、そこから外部に突出する１以上のエンボス加工された領域が設けられている。エンボス加工された領域は、ほぼ垂直方向に配置されているのが好ましい。`457特許の固定されたデフレクターストリップや`177特許の一体化されて内方に突出するストリップと同様に、本発明の外方に突出するエンボス加工された領域は粒子の環状流れを妨害し、その結果、粒子のロータでの垂直方向の持ち上げを補助し、粒子のバンディングを抑制するが、ロータとロータブレードがクリアランスで衝突することはない。
【００１７】
内方にのみ突出するデフレクターがペレットを効率的に偏向する能力があり、バンディングと、柔軟又は小さいペレットから水を分離することに関する他の問題とを阻止するということが当業者に信じられていたため、外方に突出するエンボス加工された領域の効率性は常識に反している。しかしながら、外方に突出するエンボス加工された領域の内面は、ペレットが円筒スクリーンの内周回りに流動するのでその流動方向に対向しており、図８に示すように、偏向領域又は内方偏向面を形成する。これにより、ペレットは偏向領域又は内方偏向面に衝突するので、`457及び`177特許のデフレクターストリップと同様な手法でロータに向かって内方に偏向される。
【００１８】
また、`177特許のスクリーンと同様に、内方に突出するエンボス加工された領域、又は本発明のドライヤースクリーン上の領域で一体化する性質は、汚染と、動作中のロータ内に緩んだデフレクターストリップが延びることとのリスクを軽減すると共に、製造コストをも抑制する。さらに、エンボス加工された領域は、好ましくは、スクリーンの非穿孔領域に一体化されているので、実質的にスクリーン構造の全体を強化する。
【００１９】
そこで、延伸式ペレットドライヤーの円筒スクリーンの穿孔又は非穿孔領域に、１以上の外方に突出するエンボス加工された領域を設けることが本発明の目的である。
【００２０】
本発明の他の目的は、外方に突出するエンボス加工された領域が、その数やサイズをスクリーンの直径に応じて変更し、大抵の場合、１から４つであるのが好ましいとして、スクリーンの表面の周囲に環状に配置されているという前記目的に従って、１以上の偏向領域又は内方偏向面を形成することである。
【００２１】
本発明のさらなる目的は、直角又は鋭角に屈曲して伸長した偏向領域、又は円筒ペレットドライヤーの内部偏向面を形成するという前記目的に従って、１以上の外方に突出するエンボス加工された領域を一体的に形成することである。
【００２２】
本発明のさらなる目的は、ペレットがエンボス加工された領域又はストリップに捕捉されるのを阻止すると共に、ペレットが、ペレットが環状及び上方への移動に再度エネルギーを付与されるロータ内に戻される再方向付けを確実にするように、スクリーンと一体的に形成された滑らかな傾斜面を有するドライヤースクリーンの外方に突出する、伸長されたエンボスデフレクターストリップの形態で、１以上の偏向領域又は内方偏向面を形成することである。
【００２３】
本発明のさらなる目的は、平坦及び両凸レンズ形状の製品が遠心式ペレットドライヤー内のスクリーンに捕捉されるようになるという、公知の問題に対する改良可能な解決法をエンボススクリーンが提供するという前記目的に従って、外方に突出するエンボス加工された領域を有する円筒スクリーンを備えた遠心式ペレットドライヤーを提供することである。
【００２４】
本発明のさらなる目的は、所定サイズの遠心式ペレットドライヤーが、より大きなドライヤーを得ることなく、製品の到達可能な範囲を広げる、より高速の製品流れで移動するという前記目的に従って、外方に突出するエンボス加工された領域を備えたエンボスデフレクタースクリーンを提供することである。
【００２５】
本発明のさらなる目的は、従来の製造方法と同様であり、経済的に実行可能であり、長期に亘って相対的に故障もなく駆動できるデフレクタースクリーンを提供するために、簡単な構成で、使用しやすいという前記目的に従って、１以上の外方に突出するエンボス加工された領域を備えた遠心式ペレットドライヤーの円筒スクリーンを提供することである。
【図面の簡単な説明】
【００２６】
【図１】遠心式ペレットドライヤーの従来のロータでの径方向の空気流れの概略を示す図である。
【図２】図１のロータからの空気流れの影響と、種々の異なる形状のペレットの流動特性の結果とを示す図である。
【図３】さらに、図２の種々の形状のペレットに関する最良及び最悪の空気及びペレットの流動特性を示す図である。
【図４】ドライヤーハウジングに関する円筒スクリーン及びブレードを有するリフトロータ組立品の断面図を示す遠心式ペレットドライヤーの概略立面図である。
【図５】`457特許に従って固定要素を備えた内面にトウしされる２つのデフレクターストリップを有する、図４のドライヤースクリーンの一部を示す斜視図である。
【図６】スクリーンの一部の部分概略断面図であって、図５に示す従来のデフレクターストリップの１つを示す図である。
【図７】図６と同様なドライヤースクリーンの概略部分断面図であって、`177特許に開示されるような内方に突出するエンボス加工されたデフレクターを図示する。
【図８】本発明に係る、外方に突出するエンボス加工された領域を有する遠心式ペレットドライヤースクリーンの概略部分断面図である。
【図９】本発明に係る、垂直方向に若干傾斜して延び、非穿孔部に一体的に形成された、２つの外方に突出するエンボス加工されたストリップを備え、ドライヤースクリーンの部分斜視図である。
【図１０】スクリーン、偏向領域及びドライヤーロータブレードの間の関係を示す、図８に示すのと同様な、外方に突出するエンボス加工された領域の上方側の斜視図である。
【図１１】図１０の詳細Ａの拡大図である。
【図１２Ａ】本発明に係る遠心式ペレットドライヤースクリーンの外方突出エンボス領域のための代替構成の概略図である。
【図１２Ｂ】本発明に係る遠心式ペレットドライヤースクリーンの外方突出エンボス領域のための代替構成の概略図である。
【図１２Ｃ】本発明に係る遠心式ペレットドライヤースクリーンの外方突出エンボス領域のための代替構成の概略図である。
【図１２Ｄ】本発明に係る遠心式ペレットドライヤースクリーンの外方突出エンボス領域のための代替構成の概略図である。
【発明を実施するための形態】
【００２７】
図示された本発明の好ましい実施形態の記載に当たり、特定の用語は明確性のため使用されている。しかしながら、本発明はそのように選択された特定の用語に限定することを意図するものではなく、各特定の用語は、同様な目的を達成するための同様な手法で動作する全ての技術的に同等なものを含むものであると理解されるべきである。
【００２８】
図４を参照すると、従来の縦型タイプの遠心式ペレットドライヤーは、大略、参照番号１０で示され、垂直方向に搭載される組立式スクリーン１４を有するドライヤーハウジング１２を備える。組立式スクリーン１４は、垂直方向に整列され、参照符号１７の位置で相互に連結された、４つのほぼ同様なスクリーン部品１５を有することが図示されている。スクリーン１４は、ブレード化されたロータを囲んで同心上に位置し、大略、参照番号１６で図示され、傾斜したブレード１８を備える。ブレード１８は周知の手法で支持されたスクリーン部品１５の内面に隣接する外縁を備える。
【００２９】
ドライヤー１０は、水中のペレタイザから水及びペレットのスラリー、あるいは、リサイクルされたソーダボトル、ミルク容器等からの樹脂片等の固体樹脂を含有する他のタイプの水性スラリー、あるいは、グラウンドバッテリーケーシング等の他の固体樹脂粒子を受け取るための入口２０を備える。一般に、入口２０は、全ての遠心式ドライヤーではないけれども、出口２４を介して水を排出すべく、ペレット又は他の固体粒子から水を初期分離し、重い粒子を組立式スクリーンの底面領域に排出するために、スラリーを脱水機２２に排出する。固体粒子は、ロータ１６の駆動によりスクリーン部品１５を介して、矢印１２６で示す方向に、上方側のスクリーン部品１５の上端の出口２６に向かって上動する。ロータは、分離された水がスクリーンを通ってハウジング内に移動して、既に記載された従来の特許に示されるように、公知の手法で出口２４から排出されるようにして、粒子から水を分離すべく、粒子をスクリーンに衝突させるために、粒子に引上力及び遠心力を作用させる。
【００３０】
各スクリーン部品１５は、一般には、２０又は１８ゲージ厚で、内方で対向する面から穴あけ器であけられた直径０．０７５インチの穴３０を備えたステンレス鋼からなるプレート２８を備える。他の穴の形状及び直径は、一般に使用される０．０３８インチ、０．０８５インチ、０．０６２５インチ等である。図５に示すように、穴３０は千鳥配列され、不連続領域３２で方向付けされており、それらを分離する中実部品３４及び３６が形成されている。スクリーン部品１５は最初、平坦プレート２８として形成され、スクリーン部品の垂直な中実縁で外方に延びる垂直側縁フランジ３８及び４０によって円筒形状に保持される。また、連結機構の図は`457特許に記載されている。
【００３１】
図５に示され、大略、参照符号７０で示された２つのデフレクターストリップは、円筒スクリーン部品１５の内面に設けられている。図５及び図６に示すように、デフレクターストリップ７０は、円筒スクリーン部品１５のマッチング穴に挿通され、スクリーン部品の内部の適当な位置に各デフレクターストリップ７０を取り付けるために対応するロックナット７４を装着することができるボルトによって固定されている。一旦取り付けられれば、図６では、デフレクターストリップ７０は、ロータ１６が内方の矢印７７で示すように回転するとき、実線矢印７５で示すようにペレットの流れの方向を変更する。
【００３２】
`177特許に開示されるように、一体型エンボス内方突出デフレクターストリップが図７に示されている。図６の従来のボルト固定型デフレクターストリップのように、エンボスデフレクターストリップ１７０は、ロータ１６が内方矢印１７３で示す方向に回転するとき、実線矢印１７１で示すようにペレット流れを効果的に方向変換する。しかしながら、`457特許のデフレクターストリップ７０とは異なり、エンボスデフレクターストリップ７０は、緩められ又は分離したデフレクターストリップと同様に、留め具が緩められる恐れを排除する。但し、デフレクターストリップ１７０はロータ及びロータブレードが収容されて回転する領域内に突出する。
【００３３】
このため、図９に示すように、本発明に係るスクリーン部品２１５は、大略、参照符号２６８で示す１以上の外方突出エンボス領域を有する。図８から図１１に示す実施形態では、外方突出エンボス加工領域２６８は、長尺で、垂直方向又はほぼ垂直方向にエンボス加工されたデフレクターストリップ２６９の形態である。一般に、外方突出エンボスデフレクターストリップ２６９は穴を有し、スクリーンの縁２３８及び２４０が一体となる分離領域２３２の間を通過するスクリーンの非穿孔中実領域２２８，２３６内に一体的に形成されている。スクリーン部品２１５は、`177特許でより十分に記載されるように、単一のエンボスデフレクターストリップのみ、又は多エンボスデフレクターストリップを設けてもよい。
【００３４】
また、構造的な強度が悪影響を受けるため好ましくはないけれども、エンボス加工された外方突出エンボスストリップ２６９は、穿孔領域２３２に形成することができる。さらに、垂直方向に対して相対的に鋭角な方向に形成されていれば、エンボスデフレクターストリップは、スクリーンの穿孔及び非穿孔領域のいずれの部品を横切ってあるいは内部に延びるように形成されていてもよい。
【００３５】
図８に示すように、図７に示すデフレクターストリップ１７０と同様に、エンボス領域２６８又はエンボスデフレクターストリップ２６９は、ロータが内方矢印２７３で示す方向に回転するとき、実線矢印２７１で示すペレット流れを効果的に方向変換する。しかしながら、`177特許のデフレクターストリップとは異なり、外方突出エンボス領域２６８又はエンボスデフレクターストリップ２６９は、ロータ及びロータブレードの回転のためにスクリーンの内部で利用可能な空間すなわちクリアランスに影響しない。
【００３６】
図８及び図１０に示すように、外方突出エンボス領域２６８は、その領域がストリップ２６９内に包含されているか、後述する他の構成であるか否かに拘わらず、底面に沿って平坦で、平坦底面及び隣接するスクリーン壁領域に対して鈍角をなして延びる、滑らかな連続した傾斜面を備えたエンボス領域に垂直な平面での断面形状を有する。本質的に、この平坦なＵ形状は、偏向領域２７０、又はペレット流れの方向とは反対側のエンボス領域の内面の内方偏向面３００を形成する。偏向領域２７０又は内方偏向面３００は、図８及び図１１に示すように、エンボスデフレクターストリップ２６９又はエンボス領域２６８内に滑らかな傾斜面３０１として構成されている。滑らかな傾斜面３０１は、ストリップ２６９とスクリーン部品２１５の間のペレットの捕捉の機会を与えない。これにより、その後の流れでの関係する汚染の恐れが排除される。特に、平坦又は両凸レンズ形状のペレットを使用するとき、滑らかな傾斜面３０１は、矢印３０２で示すように（図１１参照）、偏向領域又は表面３００から離れ、ロータ及びブレード１８内に向かって安定したペレットの方向変換を確実にするのにより効果的である。一旦方向変換されれば、続いてロータは、矢印３０４で示す方向のペレットに対して継続的にエネルギーを付与することができ、ペレットが最新の遠心式乾燥法に耐性のあるタイプのものであるとき、ロータがオーガ−として動作しようとするのを抑制することにより、ペレットの上動と、ドライヤーの全体の効率とを促進する。さらに、エンボスデフレクターストリップは、実際に、エンボスストリップの丁度前方のスクリーンの領域で、スクリーンの摩耗を抑制する。
【００３７】
本発明に係る外方突出エンボス領域の数、角度及び空間的関係は、スクリーン部品２１５の直径と、ドライヤーの特別な適用例とに基づいて変更してもよい。通常、１から４つのエンボスストリップ２６９であれば、直径約５４インチまでの大抵のスクリーン部品には十分である。勿論、エンボスストリップの数がこれよりも多ければ、要望通りとなる。また、ドライヤーでは、多数のスクリーン部品２１５を有すると、水及び固体粒子のスラリーがスクリーンに侵入し、ペレットが排出シュートからの侵入時に多くのエネルギーを持つので、最下部のスクリーン部品１１６（図４参照）はエンボス領域なしで構成してもよい。エンボス領域を有する上方側のスクリーン部品では、このエンボス領域は垂直方向に配置されているのが好ましいが、そのような配置は必ずしも必要なものではない。
【００３８】
本発明に係る、外方突出エンボス領域又はエンボスデフレクターストリップは、従来の単一スクリーン又はスクリーン部品で実施され、２０又は１８ゲージ厚で、通常、０．０３８インチ、０．０７５インチ、又は０．０６２５インチの直径で使用される穴を備えたプレート２２８等のステンレス鋼のプレートからなる。またスクリーン又はスクリーン部品は、レーザ加工、あるいは、当業者にとって理解されるような他の製造方法によって製造することもできる。同時係属の出願である、特許出願第11/017,216号に記載されるような多層スクリーンが本発明の外方突出エンボス領域を含有するように改良することもできる。
【００３９】
好ましい実施形態では、外方突出エンボス領域は、垂直又はほぼ垂直な外方突出エンボスデフレクターストリップであるのが好ましい。一方、このストリップは、そらせるために垂直方向に対して鋭角に形成されていてもよく、ロータの回転方向から、スクリーンの底面から頂面に向かって移動する。そのような傾斜したエンボスストリップ２６９は、エンボスストリップの上方傾斜偏向領域２７０によってロータに対して衝突し、方向変換されるので、図９に示すように、ペレットのより上方に向かう移動軌跡を生成するように使用してもよい。垂直及び傾斜デフレクターストリップは、同一スクリーン内で組み合わせてもよい。
【００４０】
一般に、本発明のエンボスストリップ２６９は、断面が平坦なＵ形状であり（上述、図８及び図１１参照）、スクリーン部品２１５のエンボス加工されていない外面に対して、約０．１０インチから約０．２５インチ、最も好ましくは０．１４インチ外方に突出し、約０．２５インチから約０．８０インチ、最も好ましくは約０．６２インチの幅を有する。勿論、他の寸法とすることもできるが、搭載されたデフレクターストリップとは異なり、スクリーン部品の全重量に影響することはない。例えば、図４から図６の配置では、より大きな厚さ又はより大きな幅を有するデフレクターストリップがスクリーン部品の重量に付加され、より大きなドライヤーへの適用例では留め要素により大きな要求がなされる。しかしながら、本発明の外方突出エンボスデフレクター領域によれば、エンボスストリップの寸法は、単に外方に突出する中実領域２３６の比率を変更するが、スクリーン部品２１５の全重量又は複雑さは変更しない。
【００４１】
外方突出エンボスデフレクターストリップ２６９の長さは、円筒スクリーン部品２１５の高さに依存し、１部品であれば円筒スクリーンの高さに依存しており、デフレクターストリップの上端及び下端からスクリーン部品（又はスクリーン）の上縁及び下縁までの約１インチの空間を開放し、この空間は要求通りに変更できるけれども、シールを妨げないような長さであるのが好ましい。
【００４２】
外方突出エンボスデフレクターストリップ２６９は、連続したエンボスストリップであるのが好ましいが、それらは円筒形状とするために、支持リングの周囲のスクリーンに必要とされる被覆を容易にするために、不連続で、長さ又はサイズをより小さくしてもよい。連続した縦型ストリップは、連続する偏向長さを長くし、円筒スクリーン又はスクリーン部品に付加する強度をより大きくする傾向にあるため好ましい。エンボスストリップは、より薄いスクリーンプレート２２８としてもよい。
【００４３】
エンボスストリップ２６９が不連続であれば、それらは隣接したスクリーンプレート２２８の底縁から、隣接したスクリーンプレート２２８の上縁まで、垂直方向に千鳥状に配置されるのが好ましい。このように、クリアランスのバンドの周囲の環状通路で１つの縦型ストリップを通過したバンドの固体粒子は、その通路で他の縦型ストリップに出会す。同様に、この千鳥配列は、傾斜エンボスデフレクターストリップを包含する。
【００４４】
本発明の外方突出エンボスデフレクター領域は、長尺なストリップ以外の形状で生成することもできる。そこには制限されることなく、外方突出エンボス領域の代替構成の例が、図１２Ａに示す水平及び垂直方向に千鳥配列された矩形２０１によって、図１２Ｂに示す垂直方向に配置された円２０３、図１２Ｃに示す垂直方向に配置された矢印頭部２０５、及び図１２Ｄに示す垂直方向に傾斜して配置された矩形２０７が示されている。各例では、外方突出エンボス領域の断面は、前述の平坦なＵ形状であるのが好ましい。
【００４５】
エンボス領域の特有の形状であれば何でも、本発明に係る外方突出エンボスデフレクタースクリーンは、内方突出デフレクターと同様に、あるいは、それ以上に良好な乾燥した結果物を生成する。テスト数は、後述するテーブルＩに集約されるようにして行った。全テストは、４１０ＲＰＭ（標準速度）で回転する中実ロータを有する３０３２（傾斜排出）ドライヤーで行った。ペレットはホッパー内で周囲温度の水をかけて濡らせ、他の水は追加しなかった。ドライヤーの駆動は６０Ｈｚ、角速度は１７５０ＲＰＭとし、ブロワをオンし、ドライヤーアンプはドライヤーを製品が通過しない４，４とした。Marflexペレットを使用した。
（テーブル１）
デフレクタースクリーン比較テスト
2016524118.tif 000003
【００４６】
テーブルＩの集約結果から明らかなように、本発明に係る外方突出エンボスデフレクターストリップを備えたドライヤースクリーンは、内方突出デフレクターストリップを備えたドライヤースクリーンと同様に効率的である。実験された比較可能な性能は、当業者に驚かれ、そして期待されていなかった結果であった。この結果は、既にペレットの乾燥で効率的であると公知の内方突出デフレクターを備えたドライヤースクリーンの構成に、比較可能な性能を設ける一方、ここで記載された外方突出デフレクターストリップは、以前のドライヤーの設計とは異なり、ロータとロータブレードのクリアランスに侵入又は接近することがないという点で非常に有益であった。ロータブレードを最大空間に設けることにより、ロータブレードとデフレクターストリップの間の干渉の恐れが排除されるという顕著な利点が提供される。
【００４７】
前述のものは、本発明の原理の説明としてのみ考えられる。また、多数の改良及び変更が当業者にとって容易に行えるので、示されて記載された正確な構成及び作用に本発明を制限することは希望しておらず、従って全ての適切な改良や同等なものが本発明の範囲を逸脱することなく含まれる。
【符号の説明】
【００４８】
１…テーブル
１０…ドライヤー
１２…ドライヤーハウジング
１４…スクリーン
１５…スクリーン部品
１６…ロータ
１７…
１８…ブレード
２０…入口
２２…脱水機
２４…出口
２８…プレート
３０…穴
３２…不連続領域
３４…中実部品
３８…垂直側縁フランジ
７０…デフレクターストリップ
７４…ロックナット
１１６…スクリーン部品
１７０…デフレクターストリップ
２０１…矩形
２０３…円
２０５…矢印頭部
２０７…矩形
２１５…スクリーン部品
２２８…スクリーンプレート
２３２…穿孔領域
２３６…中実領域
２３８…縁
２６８…エンボス領域
２６９…エンボスデフレクターストリップ
２７０…偏向領域
３００…内方偏向面
３０１…傾斜面
【図１】
2016524118.tif 000004
【図２】
2016524118.tif 000005
【図３】
2016524118.tif 000006
【図４】
2016524118.tif 000007
【図５】
2016524118.tif 000008
【図６】
2016524118.tif 000009
【図７】
2016524118.tif 000010
【図８】
2016524118.tif 000011
【図９】
2016524118.tif 000012
【図１０】
2016524118.tif 000013
【図１１】
2016524118.tif 000014
【図１２Ａ】
2016524118.tif 000015
【図１２Ｂ】
2016524118.tif 000016
【図１２Ｃ】
2016524118.tif 000017
【図１２Ｄ】
2016524118.tif 000018
【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
ドライヤーのロータ領域を介して粒子流れを改善するように乾燥される粒子の環状流れを分裂させる１以上の一体化したエンボス領域を有する略円筒スクリーンを備えた遠心式ペレットドライヤーのためのスクリーンであって、
前記スクリーン（２１５）は、スクリーンの外面から外方に突出する１以上の一体化したエンボス領域（２６８）を備え、
前記各エンボス領域は偏向領域（２７０）を形成することを特徴とするスクリーン。
【請求項２】
前記各エンボス領域は、垂直方向のエンボスデフレクターストリップ（２６９）を形成する請求項１に記載のスクリーン。
【請求項３】
スクリーンの周囲に間隔を空けて配置された垂直方向のエンボスデフレクターストリップ（２６９）を形成した複数のエンボス領域（２６８）を備える請求項１に記載のスクリーン。
【請求項４】
隣接底縁から隣接上縁までに千鳥状に配置される複数のエンボス領域（２６８）を備える請求項１に記載のスクリーン。
【請求項５】
穿孔領域（２３２）及び非穿孔領域（２２８，２３６）を備え、前記エンボス領域は前記非穿孔領域に一体的に形成されている請求項１に記載のスクリーン。
【請求項６】
前記各エンボス領域は、滑らかで連続する平坦なＵ形状を有するエンボスデフレクターストリップを形成する請求項１に記載のスクリーン。
【請求項７】
前記エンボスデフレクターは、前記外面の非エンボス部に対して、２．５４ｍｍから６．３５ｍｍ外方に突出する請求項２に記載のスクリーン。
【請求項８】
前記外方突出エンボスデフレクターストリップは、６．３５ｍｍから２０．３ｍｍの幅を有する請求項７に記載のスクリーン。
【請求項９】
前記エンボスデフレクターストリップは、前記外面の非エンボス部に対して、３．５５ｍｍ外方に突出し、１５．７ｍｍの幅を有する請求項２に記載のスクリーン。
【請求項１０】
前記外方突出エンボス領域は、スクリーンの頂部から底部に延びる請求項１に記載のスクリーン。
【請求項１１】
前記偏向領域（２７０）は、ペレット流れとは反対側のエンボス領域の内面に、傾斜面（３０１）を有する内方偏向面（３００）を備える請求項１に記載のスクリーン。
【請求項１２】
垂直方向に搭載された円筒スクリーンを有し、ブレードロータ（１６）と同心上に配置されるドライヤーハウジング（１２）と、底部に水及び固体粒子のスラリーを保持するための入口（２０）とを備える遠心式ペレットドライヤー（１０）を組み込まれ、前記固体粒子は、環状流れ中をロータによって上端の出口（２４）に向かって上動する請求項１に記載のスクリーン。
【請求項１３】
前記各外方突出エンボス領域（２６８）は、垂直なエンボスデフレクターストリップ（２６９）を形成する請求項１２に記載のスクリーン及びドライヤー。
【請求項１４】
周囲に間隔をあけて配置される垂直なエンボスデフレクターストリップとして形成された複数の外方突出エンボス領域を備える請求項１２に記載のスクリーン及びドライヤー。
【請求項１５】
隣接底縁から隣接上縁に千鳥状に配置される垂直なエンボスデフレクターストリップとして形成された複数の外方突出エンボス領域を備える請求項１２に記載のスクリーン及びドライヤー。
【請求項１６】
穿孔領域（２３２）及び非穿孔領域（２２８，２３６）を備え、前記外方突出デフレクターストリップは、非穿孔領域に一体的に形成されている請求項１３に記載のスクリーン及びドライヤー。
【請求項１７】
穿孔領域及び非穿孔領域を備え、前記外方突出デフレクターストリップは、穿孔領域の少なくとも一部に形成されている請求項１３に記載のスクリーン及びドライヤー。
【請求項１８】
前記各外方突出エンボス領域は、平坦な底面と滑らかに連続する傾斜面とを備える断面を有する請求項１２に記載のスクリーン及びドライヤー。
【請求項１９】
前記外方突出エンボスデフレクターストリップは、６．３５ｍｍから２０．３ｍｍの幅を有し、前記外面の非エンボス部に対して２．５４ｍｍから６．３５ｍｍ外方に突出する請求項１３に記載のスクリーン及びドライヤー。
【手続補正２】
【補正対象書類名】明細書
【補正対象項目名】００３０
【補正方法】変更
【補正の内容】
【００３０】
各スクリーン部品１５は、一般には、２０又は１８ゲージ厚で、内方で対向する面から穴あけ器であけられた直径１．９ｍｍの穴３０を備えたステンレス鋼からなるプレート２８を備える。他の穴の形状及び直径は、一般に使用される０．９７ｍｍ、２．１６ｍｍ、１．５９ｍｍ等である。図５に示すように、穴３０は千鳥配列され、不連続領域３２で方向付けされており、それらを分離する中実部品３４及び３６が形成されている。スクリーン部品１５は最初、平坦プレート２８として形成され、スクリーン部品の垂直な中実縁で外方に延びる垂直側縁フランジ３８及び４０によって円筒形状に保持される。また、連結機構の図は`457特許に記載されている。
【手続補正３】
【補正対象書類名】明細書
【補正対象項目名】００３８
【補正方法】変更
【補正の内容】
【００３８】
本発明に係る、外方突出エンボス領域又はエンボスデフレクターストリップは、従来の単一スクリーン又はスクリーン部品で実施され、２０又は１８ゲージ厚で、通常、０．９７ｍｍ、１．９ｍｍ、２．１６ｍｍ、又は１．５９ｍｍの直径で使用される穴を備えたプレート２２８等のステンレス鋼のプレートからなる。またスクリーン又はスクリーン部品は、レーザ加工、あるいは、当業者にとって理解されるような他の製造方法によって製造することもできる。同時係属の出願である、特許出願第11/017,216号に記載されるような多層スクリーンが本発明の外方突出エンボス領域を含有するように改良することもできる。
【手続補正４】
【補正対象書類名】明細書
【補正対象項目名】００４０
【補正方法】変更
【補正の内容】
【００４０】
一般に、本発明のエンボスストリップ２６９は、断面が平坦なＵ形状であり（上述、図８及び図１１参照）、スクリーン部品２１５のエンボス加工されていない外面に対して、約２．５４ｍｍから約６．３５ｍｍ、最も好ましくは３．５５ｍｍ外方に突出し、約６．３５ｍｍから約２０．３ｍｍ、最も好ましくは約１５．７ｍｍの幅を有する。勿論、他の寸法とすることもできるが、搭載されたデフレクターストリップとは異なり、スクリーン部品の全重量に影響することはない。例えば、図４から図６の配置では、より大きな厚さ又はより大きな幅を有するデフレクターストリップがスクリーン部品の重量に付加され、より大きなドライヤーへの適用例では留め要素により大きな要求がなされる。しかしながら、本発明の外方突出エンボスデフレクター領域によれば、エンボスストリップの寸法は、単に外方に突出する中実領域２３６の比率を変更するが、スクリーン部品２１５の全重量又は複雑さは変更しない。
【国際調査報告】
2016524118.tif 000019
2016524118.tif 000020